(57)【特許請求の範囲】
【請求項１】
内周面に縦溝状の凹状係合部(2)を刻設した短円筒状の基台筒部(3)の上端から、略全高さ範囲に亘り、かつ下方に開放させて縦長ガイド孔(5)を開設した直線円筒状のガイド筒部(6)を起立設した内筒体(7)の前記ガイド筒部(6)に、内周面に下方に開放させて螺溝(8)を刻設した外筒体(9)を回転自在かつ抜け出し不能に外嵌し、該外筒体(9)に直線円筒状のスリーブ(10)を不動に外嵌させて構成した容器本体部材(12)と、外周面に前記凹状係合部(2)に係合する凸状係合部(14)を突設し、前記基台筒部(3)に上方に抜け出し不能に嵌入する円筒状の係止片体(13)の上端に、破断片(16)を介して、外周面に前記縦長ガイド孔(5)を貫通して先端を螺溝(8)に螺合させる螺合ピン(18)を前記凸状係合部(14)と同一方向に突設し、前記ガイド筒部(6)内に昇降変位可能に組付く円筒片体(17)を連設した受皿体(19)の上端に尖頭有頂円筒状のオジーブ(20)を被嵌して構成され、前記円筒片体(17)とオジーブ(20)との組合せ物を成形型枠として化粧料(A)を充填成形するセット部材(22)と、前記基台筒部(3)と周方向に不動に、かつスリーブ(10)と抜け出し方向にアンダーカット結合して外装し、前記係止片体(13)の基台筒部(3)内からの抜け出しを阻止する把手部材(23)と、前記容器本体部材(12)に着脱可能に嵌着する有頂円筒状のキャップ(26)と、から構成される棒状化粧料繰り出し容器。
【請求項２】
オジーブ(20)の開口端外周に、内筒体(7)の上端面に係止する、突出高さの低い凸状部(21)を設けた請求項１記載の棒状化粧料繰り出し容器。
【請求項３】
基台筒部(3)の外周面に係止凹部(4)を刻設し、スリーブ(10)の外周に段部(11)を設け、把手部材(23)の筒壁の内周面下端に、前記係止凹部(4)に周方向から係止する係止凸部(24)を突設し、前記把手部材(23)の筒壁の内周面に、前記段部(11)とアンダーカット結合する突起部(25)を突設し、さらに前記把手部材(23)の筒壁の下端に、前記基台筒部(3)内の係止片体(13)に下方から対向する底壁部分を設けた請求項１または２記載の棒状化粧料繰り出し容器。
【請求項４】
係止片体(13)の内周面下端に、引掛け片(15)を突設した請求項１、２または３記載の棒状化粧料繰り出し容器。
【発明の詳細な説明】
【０００１】
【発明の属する技術分野】
本発明は、成形した口紅等の棒状化粧料を、繰り出し容器の本体部分に、着脱自在に挿入組付けする、棒状化粧料繰り出し容器に関するものである。
【０００２】
【従来の技術】
この種の繰り出し容器は、基台筒部の上端に、略全高さ範囲に亘ってガイド孔を開設したガイド筒部を起立連設した内筒体と、内周面に螺溝を刻設し、内筒体のガイド筒に回動可能かつ抜け出し不能に外嵌する外筒体と、内筒片体の外周面に、ガイド孔を貫通して、先端を螺溝に螺合させる螺合ピンを突設し、内筒体のガイド筒部内に昇降変位可能に嵌入組付きする受皿体とから、その主要部分を構成している。
【０００３】
この繰り出し容器に対する棒状化粧料の組付けの通常の手法は、受皿体の上端に、成形型枠である有頂筒状のオジーブを密に組付け、このオジーブと受皿体とのより形成される成形空間内に、繰り出し容器の下端開口部から、加熱溶融した化粧料を注入充填し、そのまま冷却固化させることにより、化粧料の、成形と受皿体への組付けとを達成するものであり、オジーブは、適当な時点で、受皿体の昇降動作を利用して離脱させるようにしている。
【０００４】
この種の棒状化粧料繰り出し容器にあっては、外筒体と内筒体と受皿体とを組付けた容器本体部材の受皿体に、直接、化粧料を充填していたため、化粧料の充填不良があった場合に、化粧料を充填した容器本体全体も製品不良となる、と云う不都合があった。
【０００５】
このような不都合を回避するために、繰り出し容器本体に対する棒状化粧料を着脱可能として、カートリッジ式に取り替え可能とする繰り出し容器が提案されている。
【０００６】
例えば、実開昭６１−１９４４４２５号公報記載の第１の従来技術は、棒状化粧料を充填したホルダを、容器本体部材内に昇降変位可能に組付く受皿体に螺着脱可能とし、このホルダをカートリッジ式に取り替え可能としている。
【０００７】
この棒状化粧料繰り出し容器においては、受皿体とホルダの螺着によるガタツキを回避するために、ホルダと受皿体とを弾性接触する弾板部や抜け止め部を設け、螺合する回動動作に伴って、受皿体に設けた抜止め部と、ホルダに設けた係止部とが互いに弾性接触状態に係合するように構成し、ホルダが緩む方向に回動する力が加えられても、回動が阻止されるようにしている。
【０００８】
また、特開平１１−５６４６４号公報記載の第２の従来技術にあっては、内筒体と外筒体と受皿体とが組み付けられ、受皿体に化粧料が充填されたカートリッジ体と、スリーブと把手部材から構成される容器本体を別体とし、カートリッジ体を交換することにより、容器本体の再利用を可能としている。
【０００９】
【発明が解決しようとする課題】
しかしながら、上記した第１の従来技術にあっては、内筒体と外筒体と受皿体とから成る容器本体部材とは別部材であるホルダに化粧料を充填組付けし、このホルダーをカートリッジ式に受皿体と着脱自在とする必要があるので、着脱自在とするための構造が複雑となる、と云う問題があった。
【００１０】
また、ホルダと受皿体との着脱が螺合を利用しているので、着脱に際しては、ホルダと受皿体とを相対回動させる必要があるが、容器本体部材内に位置している受皿体を指先で保持することが殆ど不可能であることから、ホルダと受皿体との着脱操作が面倒になり易い、と云う問題があった。
【００１１】
さらに、受皿体に螺合したホルダのガタツキを防止するための係止手段が設けられているが、この係止手段の係止解除には、ホルダに対する強引な螺脱回動操作により達成されるため、両方の係止機能部分に齧り変形し易く、特に、受皿体の係止手段の齧り変形により、係止能力が低下する、と云う問題があった。
【００１２】
また、上記した第２の従来技術にあっては、交換可能となっているカートリッジ体が、内筒体と外筒体と受皿体とから構成されており、カートリッジ体を構成する部品点数が多く、成形不良を生じた場合に廃棄する部材数が多くなり、不経済である、と云う問題があった。
【００１３】
そこで本発明は、上記した従来技術における問題点を解消すべく創案されたもので、部品点数を増大させることなく、化粧料の成形不良に伴う容器全体の製品不良を低減することを技術的課題とし、もって化粧料繰り出し容器を構成する部材の有効活用を可能とすることを目的とする。
【００１４】
【課題を解決するための手段】
上記技術的手段を解決する本発明の内、請求項１記載の発明の手段は、
内周面に縦溝状の凹状係合部を刻設した短円筒状の基台筒部の上端から、略全高さ範囲に亘り、かつ下方に開放させて縦長ガイド孔を開設した直線円筒状のガイド筒部を起立設した内筒体のガイド筒部に、内周面に下方に開放させて螺溝を刻設した外筒体を回転自在かつ抜け出し不能に外嵌し、この外筒体に直線円筒状のスリーブを不動に外嵌させて構成した容器本体部材を有すること、
外周面に内筒体の基台筒部の凹状係合部に係合する凸状係合部を突設し、基台筒部に上方に抜け出し不能に嵌入する円筒状の係止片体の上端に、破断片を介して、外周面に内筒体のガイド筒部の縦長ガイド孔を貫通して、先端を外筒体の螺溝に螺合させる螺合ピンを係止片体の凸状係合部と同一方向に突設し、内筒体のガイド筒部内に昇降変位可能に組付く円筒片体を連設した受皿体の上端に尖頭有頂円筒状のオジーブを被嵌して構成され、円筒片体とオジーブとの組合せ物を成形型枠として化粧料を充填成形するセット部材を有すること、
内筒体の基台筒部と周方向に不動に、かつスリーブと抜け出し方向にアンダーカット結合して外装し、セット部材の係止片体が容器本体部材の基台筒部内から抜け出すのを阻止する把手部材を有すること、
容器本体部材に着脱可能に嵌着する有頂円筒状のキャップを有すること、
にある。
【００１５】
化粧料の成形は、オジーブを下にして逆立姿勢となったセット部材に、このセット部材の係止片体の下端開口部（逆立姿勢であるので、上側に位置している）から、加熱溶融した化粧料を、円筒片体とオジーブとの組合わせである成形型枠内に注入充填し、そのまま冷却固化させて達成し、この成形と同時に、受皿体への組付けをも達成する。
【００１６】
容器本体部材に組付けられるセット部材は、化粧料の充填成形が良好に達成できたものだけであるが、この化粧料を良好に充填成形したセット部材の容器本体部材への組付けは、内筒体の縦長ガイド孔の下端開放部と、外筒体の螺溝の下端開放部とを一致させた容器本体部材の下端開口部に、セット部材をオジーブから挿入してゆき、係止片体の凸状係合部を基台筒部の係止凹状部に係合させて、容器本体部材とセット部材との周方向に沿った位置合わせを達成する。
【００１７】
この状態から、容器本体部材に対してセット部材をさらに押し込むと、円筒片体の螺合ピンが、下端開放部を一致させている縦長ガイド孔と螺溝とに遊合し、これにより円筒片体が、内筒体と外筒体との相対回動により、内筒体内を昇降変位可能に組付くと共に、係止片体が基台筒部に対して、ガイド筒部下端に対する突き当りにより、上方に抜け出し不能に組付く。
【００１８】
容器本体部材に対するセット部材の組付けが達成されたならば、容器本体部材の下端部に把手部材を外装組付けし、これによりセット部材の容器本体部材に対する組付きを保持して、化粧料繰り出し容器の組立てを完了する。なお、キャップは、適当な時点で、容器本体部材に、着脱自在に外嵌組付けすれば良い。
【００１９】
この組立てられた化粧料繰り出し容器は、そのまま格納、搬送、そして陳列等の取扱いを受けるが、オジーブが組付いたままであるので、この取扱い中、化粧料はオジーブにより安全に保護されることになる。
【００２０】
化粧料を使用できる状態とするには、まずキャップを外した状態で、把手部材とスリーブとを相対回動させることにより、内筒体と外筒体とを相対回動させ、この相対回動により受皿体の円筒片体に押上げ力を作用させる。
【００２１】
この押上げ力の作用により、円筒片体は、内筒体の基台筒部に、上方に抜け出し不能に組付いている係止片体に対して、破断片を破断して離間し、内筒体のガイド筒部内を、上昇移動する。
【００２２】
円筒片体の上昇移動により、内筒体のガイド筒部内からオジーブが突出したならば、このオジーブを円筒片体から取り外して化粧料を露出させ、これにより化粧料の使用を可能とする。
【００２３】
容器本体部材に組付けられて、化粧料繰り出し容器を完成させるのは、化粧料の成形が良好に達成できたセット部材だけであって、化粧料の成形が不良となったセット部材は破棄されることになるが、このように化粧料成形不良により破棄されるのは、受皿体とオジーブとから成るセット部材だけである。
【００２４】
化粧料を使用可能な状態とするには、スリーブと把手部材との相対回動により、受皿体の破断片を破断しなければならないので、この破断片の破断の有無を感触で確認することにより、不正使用の有無を判断することができる。
【００２５】
請求項２記載の発明は、請求項１記載の発明の構成に、オジーブの開口端外周に、内筒体の上端面に係止する、突出高さの低い凸状部を設けたこと、を加えたものである。
【００２６】
請求項２記載の発明においては、受皿体の円筒片体を、組付いたオジーブの全体が内筒体のガイド筒部から突き出るまで繰り出すと、それまでガイド筒部内周面で押さえ込まれていたオジーブの凸状部が弾力により外方に突出する。
【００２７】
このため、この状態から、ガイド筒部に受皿体の円筒片体を繰り込むと、オジーブの凸状部が、ガイド筒部の上端面に係止し、これによりオジーブは下降変位不能となるので、円筒片体および化粧料から取り外されることになり、この取り外しは、オジーブが一定姿勢に保持された状態で達成されるので、きわめて良好にそして安全に行われることになる。
【００２８】
請求項３記載の発明は、請求項１または２記載の発明の構成に、内筒体の基台筒部の外周面に係止凹部を刻設し、スリーブの外周に段部を設け、把手部材の筒壁の内周面の下端に、基台筒部の係止凹部に周方向から係止する係止凸部を突設し、把手部材の筒壁の内周面に、スリーブの段部とアンダーカット結合する突起部を突設し、さらに把手部材の筒壁の下端に、基台筒部内に位置したセット部材の係止片体に下方から対向する底壁部分を設けたこと、を加えたものである。
【００２９】
この請求項３記載の発明においては、容器本体部材の下端部に、把手部材を下方から被嵌状に、組付け限まで押し上げて外装させるだけで、基台筒部の係止凹部と把手部材の係止凸部とを周方向に係止させると共に、スリーブの段部と把手部材の突起部とをアンダーカット結合させて、容器本体部材ととの組付きを達成し、同時に容器本体部材に対するセット部材の組付きを保持する。
【００３０】
請求項４記載の発明は、請求項１、２または３記載の発明の構成に、係止片体の内周面下端に、引掛け片を突設したこと、を加えたものである。
【００３１】
この請求項４記載の発明においては、容器本体部材から把手部材を強引に取り外した状態で、指先を引掛け片に引掛けて、係止片体を内筒体の基台筒部内から引き抜いて、ガイド筒部の縦長ガイド孔および外筒体の螺溝の下端を開放し、これにより内筒体内から円筒片体の抜け出しを可能とする。
【００３２】
それゆえ、使用済みの円筒片体を取り外した容器本体部材に、化粧料を充填成形した新たなセット部材をカセット状に組付け、単一の容器本体部材を、破棄することなく、繰り返し使用することが可能となる。
【００３３】
【発明の実施の形態】
以下、本発明の一実施例を、図面を参照にしながら詳細に説明する。
図１は、化粧料繰り出し容器１の、一部縦断面図を含む平面図であり、図２は、容器１の一部拡大縦断面図、図３は、図１のＺ−Ｚ断面矢視図である。
【００３４】
また、図４は、容器１を構成する容器本体部材１２、セット部材２２、把手部材２３、キャップ２５を示す一部縦断面図を含む分解図であり、図５は、容器本体部材１２を構成する内筒体７と外筒体９とスリーブ１０とを示す一部縦断面図を含む分解図、図６は、セット部材２２を構成する受皿体１９とオジーブ２０との組合わせを示す一部縦断面図を含む分解図である。
【００３５】
化粧料繰り出し容器１は、図４に示すように、内筒体７と外筒体９とスリーブ１０との組合わせ物である容器本体部材１２と、係止片体１３と円筒片体１７とを破断片１６で連結した受皿体１９にオジーブ２０を被嵌し、円筒片体１７とオジーブ１９との組合わせを成形型枠として化粧料Aが充填成形されたセット部材２２と、把手部材２３と、キャップ２６とから構成され、容器本体部材１２内にセット部材２２を挿入組付けし、把手部材２３とキャップ２６とを容器本体部材１２に外嵌組付けして、組立てられる。
【００３６】
次に、本実施例の化粧料繰り出し容器１を構成する各部材について説明する。繰り出し機能を発揮する容器本体部材１２は、図３および図５に示すように、内周面の全高さ範囲に亘って一対の縦溝状の凹状係合部２を刻設し、外周面に係止凸部４を刻設した短円筒状の基台筒部３の上端から、略全高さ範囲に亘って、かつ下端を凹状係合部２に開放した一対の縦長ガイド孔５を開設した直線円筒状のガイド筒部６を起立設した内筒体７と、内周面に一対の螺溝８を、下端を開放して刻設し、ガイド筒部７に回転自在かつ抜け出し不能に外嵌される直線円筒状の外筒体９と、外周面に段部１１を設け、外筒体９に不動に外嵌される円筒状のスリーブ１０とを組合わせて構成されている。
【００３７】
また、容器本体部材１２内に挿入組付けされるセット部材２２は、図３および図６に示すように、外周面に基台筒部３の凹状係合部２に係合する縦条状の一対の凸状係合部１４を突設し、内周面下端に引掛け片１５を突設した係止片体１３の上端に、複数の破断し易い破断片１６を介して、外周面に凸状係合部１４と同一方向に一対の螺合ピン１８を突設した円筒片体１７を連設して受皿体１９を構成し、この受皿体１９の上端に、開口端部外周に突出高さの低い凸状部２１を設けた尖頭有頂円筒状のオジーブ２０を被嵌させて構成されている。
【００３８】
基台筒部３の凹状係合部２に係合する係止片体１３の凸状係合部１４は、その幅が縦長ガイド孔５および螺溝８の幅よりも大きい幅に設定されており、これにより係止片体１３を基台筒部３に、上方に抜け出し不能に組付けている。
【００３９】
このセット部材２２の円筒片体１７とオジーブ２０との組合せを成形型枠として、係止片体１３の下端開口から口紅等の化粧料Aが充填成形される。
【００４０】
把手部材２３（図２および図４参照）は、容器本体部材１２の下部に外嵌する有底円筒形状をしていて、その筒壁の内周面下端部に、基台筒部３の係止凹状部４に係止する係止凸状部２４を突設すると共に、同じく筒壁の内周面中央部に、スリーブ１０の段部１１に、乗り越えて下方から係止する、突周条状の突起部２５を突説し、容器本体部材１２に組付いた状態で、底壁が容器本体部材１２の下端開口部を塞いで、係止片体１３の抜け出しを阻止する。
【００４１】
キャップ２６（図２および図４参照）は、その筒壁の内周面下端部に、スリーブ１０に形成された係止部に係止する係止部分を設け、これにより容器本体部材１２の上半部分に、被嵌状に着脱自在に組付く。
【００４２】
なお、図示実施例にあっては、オジーブ２０の凸状部は、周突条状となっているが、これは複数の突片構造としても良く、またオジーブ２０の化粧料からの離脱を良好な状態で達成すべく、オジーブ２０の内周面に離型剤を予め塗布しておいても良い。
【００４３】
【発明の効果】
本発明は、上記した構成となっているので、以下に示す効果を奏する。
請求項１記載の発明にあっては、化粧料の成形不良が発生しても、安価なセット部材だけを破棄し、容器本体部材はそのまま使用することが可能であるので、化粧料成形不良による経済的な損失を、大幅に低減することができる。
【００４４】
また、注文に応じて、所望する化粧料を充填したセット部材と容器本体部材を組付けて化粧料繰り出し容器として販売することが可能となるため、予め多種の化粧料を充填したセット部材を多数在庫しておくことにより、素早く注文に対応することができる。
【００４５】
受皿体の円筒片体が、化粧料の成形型枠の一部であるので、繰り出し容器に化粧料を、昇降変位可能に組付け保持する機能部分である円筒片体に、化粧料をガタツキのない状態で安定して強固に組付けることができ、これにより繰り出し容器に対する化粧料の組付けを良好に達成する。
【００４６】
化粧料を使用するには、受皿体の円筒片体と係止片体とを、破断片を破断して離間させなければならないので、購入者は、この破断片の破断の有無を確認することにより、その繰り出し容器が既に使用されているか否かを正確に判断することができ、これにより商品を安心して購入することを可能とする、確実な不正開放防止効果を発揮する。
【００４７】
請求項２記載の発明にあっては、内筒体のガイド筒部上端に対するオジーブの凸状部の係止を利用して、化粧料を下降変位させて、オジービの化粧料からの抜け出しを安定して安全に達成することができる。
【００４８】
請求項３記載の発明にあっては、容器本体部材に対して、把手部材を下方から押上げ状に外嵌させるだけで、把手部材の、内筒体に対する回動不能な組付き、および外筒体に対する抜け出し不能な組付き、そして内筒体内の係止片体の抜け出しを不能とする組付きとを達成することができ、これにより化粧料繰り出し容器の組立て作業を、簡単なものとすることができる。
【００４９】
請求項４記載の発明にあっては、消費者が、必要に応じて、簡単に、受皿体の容器本体部材からの取り外しを達成することができるので、同じ容器本体部材に対して、新たな化粧料を収納したセット部材を、カセット状に簡単に取り替え組付けすることができ、これにより化粧料を収納したセット部材単品を商品とすることができるので、化粧料を安価に提供することが可能となる。
【図面の簡単な説明】
【図１】本発明の一実施例を示す、化粧料繰り出し容器の半縦断全体正面図。
【図２】図１の、要部拡大図。
【図３】図１中、Ｚ−Ｚ矢視した平断面図。
【図４】図１図示実施例の、全体分解半縦断面図。
【図５】図１図示実施例の、容器本体部材の分解半縦断面図。
【図６】図１図示実施例の、セット部材の分解半縦断面図。
【符号の説明】
１  ；  化粧料繰り出し容器
２  ；  凹状係合部
３  ；  基台筒部
４  ；  係止凹状部
５  ；  縦長ガイド孔
６  ；  ガイド筒部
７  ；  内筒体
８  ；  螺溝
９  ；  外筒体
１０；  スリーブ
１１；  段部
１２；  容器本体部材
１３；  係止片体
１４；  凸状係合部
１５；  引掛け片
１６；  破断片
１７；  円筒片体
１８；  螺合ピン
１９；  受皿体
２０；  オジーブ
２１；  凸状部
２２；  セット部材
２３；  把手部材
２４；  係止凸状部
２５；  突起部
２６；  キャップ
Ａ  ；  化粧料
【図１】
0004324936.tif 000002
【図２】
0004324936.tif 000003
【図３】
0004324936.tif 000004
【図４】
0004324936.tif 000005
【図５】
0004324936.tif 000006
【図６】
0004324936.tif 000007